(57)【要約】      （修正有）【課題】トイレ空間において、トイレットペーパーから発生した紙塵の飛散を抑制することができる集塵装置を提供する。【解決手段】帯電したトイレットペーパーＴＰの紙塵ＰＤを収集する集塵装置７０であって、紙塵を吸着する吸着面７２ａを有する集塵板７２と、集塵板と電気的に接続され、吸着面を紙塵と反対の極性に帯電させる電源部７４と、を備えた。【選択図】図２
2020041321.tif 000002
【特許請求の範囲】
【請求項１】
帯電したトイレットペーパーの紙塵を収集する集塵装置であって、
前記紙塵を吸着する吸着面を有する集塵板と、
前記集塵板と電気的に接続され、前記吸着面を前記紙塵と反対の極性に帯電させる電源部と、
を備えたことを特徴とする集塵装置。
【請求項２】
前記集塵板は、絶縁部を有し、
前記吸着面は、前記絶縁部に設けられることを特徴とする請求項１記載の集塵装置。
【請求項３】
前記集塵板は、第１導電層と、第２導電層と、絶縁層と、を有し、
前記絶縁層は、前記第１導電層と前記第２導電層との間に設けられることを特徴とする請求項１または２に記載の集塵装置。
【請求項４】
前記集塵板は、前記トイレットペーパーを設置する紙巻器の下方に設けられることを特徴とする請求項１〜３のいずれか１つに記載の集塵装置。
【請求項５】
前記集塵板は、カウンターの下方に設けられることを特徴とする請求項１〜３のいずれか１つに記載の集塵装置。
【請求項６】
前記集塵板は、前記トイレットペーパーを設置する紙巻器から３０ｃｍ以内の範囲に設けられることを特徴とする請求項１〜５のいずれか１つに記載の集塵装置。
【請求項７】
前記集塵板は、前記トイレットペーパーを設置する紙巻器に設けられることを特徴とする請求項１〜３のいずれか１つに記載の集塵装置。
【発明の詳細な説明】
【技術分野】
【０００１】
本発明の態様は、一般的に、集塵装置に関する。
【背景技術】
【０００２】
トイレ空間には埃が堆積しやすい。埃が堆積すると、トイレ空間の意匠性が低下するだけでなく、堆積した埃が雑菌の隠棲地となる恐れがある。
【０００３】
トイレ空間に堆積する埃の多くは、トイレットペーパーに由来する。例えば、紙巻器（ペーパーホルダー）からロール型のトイレットペーパーを引き出したり、切ったりした際に、トイレットペーパーから発生した紙塵が空中に飛散し、この紙塵がトイレ空間の床などに堆積して埃の原因となる。そこで、トイレ空間において、トイレットペーパーから発生した紙塵の飛散を抑制することが求められている。
【０００４】
例えば、特許文献１では、ペーパーホルダーの下部に、トイレットペーパーを切断した際に発生する埃（紙塵）を収納するペーパー受けトレイを設けることが提案されている。
【先行技術文献】
【特許文献】
【０００５】
【特許文献１】特許第５８２９７５９号公報
【発明の概要】
【発明が解決しようとする課題】
【０００６】
本発明は、かかる課題の認識に基づいてなされたものであり、トイレ空間において、トイレットペーパーから発生した紙塵の飛散を抑制することができる集塵装置を提供することを目的とする。
【課題を解決するための手段】
【０００７】
第１の発明は、帯電したトイレットペーパーの紙塵を収集する集塵装置であって、前記紙塵を吸着する吸着面を有する集塵板と、前記集塵板と電気的に接続され、前記吸着面を前記紙塵と反対の極性に帯電させる電源部と、を備えたことを特徴とする集塵装置である。
【０００８】
この集塵装置によれば、吸着面を紙塵と反対の極性に帯電させることで、帯電したトイレットペーパーの紙塵を吸着面に吸着させることができる。これにより、トイレ空間において、トイレットペーパーから発生した紙塵の飛散を抑制することができる。
【０００９】
第２の発明は、第１の発明において、前記集塵板は、絶縁部を有し、前記吸着面は、前記絶縁部に設けられることを特徴とする集塵装置である。
【００１０】
この集塵装置によれば、集塵板の吸着面を絶縁部で構成することで、電源部からの電力の供給が止まった後も、しばらくの間、吸着面の帯電状態を維持し、吸着した紙塵を吸着面に保持することができる。これにより、例えば、電源部からの電力の供給が止まった場合にも、吸着面に吸着した紙塵が飛散することを抑制できる。
【００１１】
第３の発明は、第１または第２の発明において、前記集塵板は、第１導電層と、第２導電層と、絶縁層と、を有し、前記絶縁層は、前記第１導電層と前記第２導電層との間に設けられることを特徴とする集塵装置である。
【００１２】
この集塵装置によれば、集塵板を、第１導電層、第２導電層、及び絶縁層を有するコンデンサ構造にすることで、集塵板に帯電する電荷量を増加させることができる。これにより、紙塵をより効率よく集塵板に吸着させることができ、紙塵の飛散をさらに抑制することができる。
【００１３】
第４の発明は、第１〜第３のいずれか１つの発明において、前記集塵板は、前記トイレットペーパーを設置する紙巻器の下方に設けられることを特徴とする集塵装置である。
【００１４】
この集塵装置によれば、集塵板を紙巻器の下方に設けることで、トイレットペーパーを切り取ったときに発生する紙塵の飛散をより抑制することができる。
【００１５】
第５の発明は、第１〜第３のいずれか１つの発明において、前記集塵板は、カウンターの下方に設けられることを特徴とする集塵装置である。
【００１６】
この集塵装置によれば、集塵板をカウンターの下方に設けることで、トイレットペーパーを切り取ったときに発生する紙塵の飛散をより抑制することができる。
【００１７】
第６の発明は、第１〜第５のいずれか１つの発明において、前記集塵板は、前記トイレットペーパーを設置する紙巻器から３０ｃｍ以内の範囲に設けられることを特徴とする集塵装置である。
【００１８】
この集塵装置によれば、紙巻器から３０ｃｍ以内の範囲に集塵板を設けることで、トイレットペーパーを切り取ったときに発生する紙塵の飛散をさらに抑制することができる。
【００１９】
第７の発明は、第１〜第３のいずれか１つの発明において、前記集塵板は、前記トイレットペーパーを設置する紙巻器に設けられることを特徴とする集塵装置である。
【００２０】
この集塵装置によれば、集塵板を紙巻器に設けることで、トイレットペーパーを切り取ったときに発生する紙塵の飛散をより抑制することができる。
【発明の効果】
【００２１】
本発明の態様によれば、トイレ空間において、トイレットペーパーから発生した紙塵の飛散を抑制することができる集塵装置が提供される。
【図面の簡単な説明】
【００２２】
【図１】第１実施形態に係るトイレシステムを模式的に表す斜視図である。
【図２】第１実施形態に係る集塵システムを模式的に表す断面図である。
【図３】図３（ａ）〜図３（ｄ）は、トイレットペーパーから発生した紙塵の紙巻器周辺における分布の例を表すグラフである。
【図４】紙塵の紙巻器周辺における分布の例の一部を表す分布図である。
【図５】第１実施形態に係る集塵装置を模式的に表す斜視図である。
【図６】図６（ａ）及び図６（ｂ）は、第１実施形態に係る集塵装置を模式的に表す断面図である。
【図７】図７（ａ）及び図７（ｂ）は、第１実施形態に係る帯電装置を模式的に表す分解斜視図及び断面図である。
【図８】図８（ａ）及び図８（ｂ）は、第１実施形態に係る帯電装置の変形例を模式的に表す分解斜視図及び断面図である。
【図９】図９（ａ）及び図９（ｂ）は、第１実施形態に係る帯電装置の変形例を模式的に表す断面図である。
【図１０】第２実施形態に係るトイレシステムを模式的に表す斜視図である。
【図１１】図１１（ａ）及び図１１（ｂ）は、第２実施形態に係る集塵装置を模式的に表す斜視図である。
【図１２】第２実施形態に係る集塵装置を模式的に表す断面図である。
【図１３】第３実施形態に係る集塵装置を模式的に表す断面図である。
【図１４】第４実施形態に係る集塵装置を模式的に表す分解斜視図である。
【発明を実施するための形態】
【００２３】
以下、本発明の実施形態について図面を参照しつつ説明する。なお、各図面中、同様の構成要素には同一の符号を付して詳細な説明は適宜省略する。
【００２４】
（第１実施形態）
図１は、第１実施形態に係るトイレシステムを模式的に表す斜視図である。  
図１に表したように、トイレシステム１００は、トイレ装置１０と、カウンター２０と、紙巻器３０と、手洗器４０と、キャビネット５０と、集塵システム６０と、を備える。トイレシステム１００は、建築のトイレ空間ＴＳの内部に設けられる。
【００２５】
トイレ装置１０は、例えば、トイレ空間ＴＳの床面または壁面に設けられる。カウンター２０、紙巻器３０、手洗器４０、及びキャビネット５０は、例えば、トイレ空間ＴＳの壁面ＷＬに設けられる。
【００２６】
なお、本願明細書においては、壁面ＷＬと向き合う使用者からみて手前側を「前方」とし、奥側を「後方」とし、上側を「上方」とし、下側を「下方」とし、右側を「右側方」とし、左側を「左側方」とする。前方は、壁面ＷＬが向く方向である。
【００２７】
この例では、壁面ＷＬは、トイレ装置１０に腰掛けた使用者からみて右側の壁面である。壁面ＷＬは、例えば、トイレ装置１０に腰掛けた使用者からみて左側の壁面であってもよい。
【００２８】
カウンター２０は、例えば、壁面ＷＬから前方に突出し、左右方向に延び、上面に物品を載置可能な載置面を有する。紙巻器３０は、例えば、カウンター２０の下方に設けられる。紙巻器３０には、ロール型のトイレットペーパーＴＰが設置される。なお、カウンター２０は、必要に応じて設けられ、省略可能である。
【００２９】
手洗器４０は、例えば、キャビネット５０の上方に設けられる。手洗器４０は、例えば、吐水部４２と、吐水部４２からの吐水を受けるボウル部４４と、を有する。使用者は、吐水部４２からの吐水によって手などを洗うことができる。キャビネット５０は、内部に物品を収納可能な収納空間を有する。例えば、手洗器４０の吐水部４２に水を供給する給水管や、ボウル部４４からの排水を排出する排水管などが、キャビネット５０の内部に設けられてもよい。
【００３０】
手洗器４０及びキャビネット５０は、例えば、カウンター２０及び紙巻器３０の左側方または右側方に設けられる。この例では、手洗器４０及びキャビネット５０は、カウンター２０及び紙巻器３０の左側方に設けられている。なお、手洗器４０及びキャビネット５０は、必要に応じて設けられ、省略可能である。
【００３１】
集塵システム６０は、トイレットペーパーＴＰから発生した紙塵を収集する。より具体的には、集塵システム６０は、トイレットペーパーＴＰから発生した紙塵を吸着することで、紙塵を収集する。
【００３２】
図２は、第１実施形態に係る集塵システムを模式的に表す断面図である。  
図２に表したように、集塵システム６０は、集塵装置７０と、帯電装置８０と、を有する。
【００３３】
集塵装置７０は、集塵板７２と、電源部７４と、を有する。集塵板７２は、紙塵ＰＤを吸着する吸着面７２ａを有する。この例では、集塵板７２は、壁面ＷＬに沿って取り付けられている。吸着面７２ａは、壁面ＷＬに集塵装置７０が取り付けられた状態において、壁面ＷＬと同じ方向（前方）を向いている。なお、吸着面７２ａの向く方向は、これに限定されない。例えば、後述のように、吸着面７２ａが下方や上方を向くように、集塵板７２が取り付けられてもよい。以下、吸着面７２ａ側を集塵板７２の表面、吸着面７２ａとは反対側を集塵板７２の裏面とする。
【００３４】
電源部７４は、集塵板７２と電気的に接続される。電源部７４は、紙塵ＰＤを吸着できるように吸着面７２ａを帯電させる。より具体的には、電源部７４は、吸着面７２ａを紙塵ＰＤと反対の極性に帯電させる。電源部７４は、例えば、吸着面７２ａの全体を紙塵ＰＤと反対の極性に帯電させる。この例では、電源部７４は、吸着面７２ａを負に帯電させている。集塵装置７０については、後述する。
【００３５】
帯電装置８０は、トイレットペーパーＴＰから発生する紙塵ＰＤを帯電させる。この例では、帯電装置８０は、トイレットペーパーＴＰを正に帯電させることで、紙塵ＰＤを正に帯電させている。帯電装置８０については、後述する。
【００３６】
図２に表したように、紙巻器３０に設置したトイレットペーパーＴＰを引き出したり、切ったりすると、トイレットペーパーＴＰから紙塵ＰＤが発生する。この紙塵ＰＤが空中に飛散し、トイレ空間ＴＳの床などに堆積すると、埃の原因となる。
【００３７】
これに対し、実施形態によれば、トイレ空間ＴＳに集塵システム６０を設けることで、紙塵ＰＤを吸着して収集することができる。より具体的には、集塵システム６０は、例えば、帯電装置８０により紙塵ＰＤを正に帯電させるとともに、集塵装置７０において、電源部７４により集塵板７２の吸着面７２ａを負に帯電させる。集塵システム６０は、正に帯電した紙塵ＰＤと負に帯電した吸着面７２ａとの間の静電力により、紙塵ＰＤを吸着面７２ａに吸着させる。これにより、トイレ空間ＴＳにおいて、トイレットペーパーＴＰから発生した紙塵ＰＤの飛散を抑制することができる。
【００３８】
この例では、帯電装置８０は、紙塵ＰＤを正に帯電させているが、帯電装置８０は、紙塵ＰＤを負に帯電させてもよい。例えば、帯電装置８０が紙塵ＰＤを負に帯電させる場合、電源部７４は、吸着面７２ａを正に帯電させる。これにより、上記と同様の原理で、紙塵ＰＤを吸着面７２ａに吸着させることができる。
【００３９】
なお、トイレットペーパーＴＰから発生した紙塵ＰＤの飛散を抑制する手段としては、例えば、トイレ空間ＴＳに空気清浄機を設けることも考えられる。しかし、一般的に、空気清浄機はトイレ空間ＴＳに対して大きすぎるため、空気清浄機を設けるとトイレ空間ＴＳが狭くなり、使い勝手が悪いという問題がある。これに対し、実施形態に係る集塵システム６０であれば、省スペースで紙塵ＰＤの飛散を抑制することができるため、使い勝手が良い。
【００４０】
また、この例では、集塵板７２は、紙巻器３０及びカウンター２０の下方に設けられている。集塵板７２は、例えば、紙巻器３０の真下に設けられる。換言すれば、集塵板７２は、例えば、上下方向において紙巻器３０と重なる位置に設けられる。このように、集塵板７２を紙巻器３０やカウンター２０の下方に設けることで、トイレットペーパーＴＰを切り取ったときに発生する紙塵ＰＤの飛散をより抑制することができる。集塵板７２は、これに限定されず、例えば、紙巻器３０やカウンター２０の上方に設けられてもよい。
【００４１】
図３（ａ）〜図３（ｄ）は、トイレットペーパーから発生した紙塵の紙巻器周辺における分布の例を表すグラフである。  
図３（ａ）は、左側方から右側方に向かう方向を正とした紙塵の分布を示す。  
図３（ｂ）は、下方から上方に向かう方向を正とした紙塵の分布を示す。  
図３（ｃ）は、左下から右上に向かう方向を正とした紙塵の分布を示す。  
図３（ｄ）は、右下から左上に向かう方向を正とした紙塵の分布を示す。  
図４は、紙巻器周辺における分布の例の一部（±５００ｍｍの範囲）を表す分布図である。  
図３（ａ）〜図３（ｄ）は、それぞれ、図４に示した破線矢印Ａ〜Ｄに沿う方向の紙塵の分布である。
【００４２】
図３（ａ）〜図３（ｄ）及び図４に表したように、紙塵ＰＤは、例えば、紙巻器３０を中心にして放射状に飛散する。飛散する紙塵ＰＤの量は、紙巻器３０に近いほど多く、紙巻器３０から離れるにつれて減少する。
【００４３】
また、図３（ａ）〜図３（ｄ）及び図４に表したように、紙塵ＰＤの多くは、紙巻器を中心に５０ｃｍ以内（±５００ｍｍ）の範囲に飛散しやすい。したがって、集塵板７２は、例えば、紙巻器３０から５０ｃｍ以内の範囲に設けられることが好ましい。また、紙塵ＰＤの大部分は、紙巻器を中心に３０ｃｍ以内（±３００ｍｍ）の範囲に飛散しやすい。したがって、集塵板７２は、例えば、紙巻器３０から３０ｃｍ以内の範囲に設けられることがより好ましい。
【００４４】
このような範囲に集塵板７２を設けることで、トイレットペーパーＴＰを切り取ったときに発生する紙塵ＰＤの飛散をさらに抑制することができる。
【００４５】
図５は、第１実施形態に係る集塵装置を模式的に表す斜視図である。  
図５に表したように、電源部７４には、例えば、電池ＢＴを装着可能である。電源部７４は、これに限定されず、集塵装置７０の外部から電力を供給されてもよい。電源部７４から集塵板７２に印加される電圧は、例えば、１０００Ｖ以上３０００Ｖ以下程度である。このような電圧であれば、集塵板７２に効率よく紙塵ＰＤを吸着させることができるとともに、使用者の安全性を向上させることができる。
【００４６】
電源部７４は、例えば、集塵板７２の後方（裏面）に設けられる。電源部７４は、例えば、集塵板７２と壁面ＷＬとの間に設けられる。電源部７４の位置は、これに限定されず、例えば、集塵板７２の左側方、右側方、上方、または下方に設けられてもよい。
【００４７】
集塵装置７０は、取付部７６をさらに有する。取付部７６は、集塵板７２をトイレ空間ＴＳの所定の位置に着脱自在に取り付けるための部材である。この例では、取付部７６は、壁掛けフック７６ａと、壁固定材７６ｂと、を有する。壁掛けフック７６ａは、集塵板７２の裏面に取り付けられる。壁固定材７６ｂは、トイレ空間ＴＳの所定の位置の壁面ＷＬに取り付けられる。例えば、壁掛けフック７６ａを壁固定材７６ｂに引っ掛けることで、集塵板７２をトイレ空間ＴＳの所定の位置に着脱自在に取り付けることができる。また、壁掛けフック７６ａを壁固定材７６ｂから外すことで、集塵板７２を着脱自在に取り外すことができる。
【００４８】
取付部７６は、これに限定されず、集塵板７２をトイレ空間ＴＳの所定の位置に着脱自在に取り付けることができるものであればよい。取付部７６は、集塵板７２とは別の部材であってもよいし、集塵板７２と一体に設けられていてもよい。取付部７６は、例えば、集塵板７２に設けられた孔などを含んでもよい。
【００４９】
このように、取付部７６を設けることで、集塵板７２をトイレ空間ＴＳの所定の位置に着脱自在に取り付けることができる。これにより、集塵板７２を取り外して吸着面７２ａを水洗いするなどの簡易な方法で、収集した紙塵ＰＤの廃棄を行うことができる。例えば、トイレ空間ＴＳに設けられた手洗器４０の吐水部４２からの吐水によって吸着面７２ａを洗い、ボウル部４４に流すことで、吸着面７２ａを水洗いすることができる。
【００５０】
図６（ａ）及び図６（ｂ）は、第１実施形態に係る集塵装置を模式的に表す断面図である。  
図６（ａ）及び図６（ｂ）に表したように、集塵板７２は、例えば、電極部７２０と、絶縁部７２２と、を有する。
【００５１】
電極部７２０は、例えば、金属などの電気伝導体からなる導電層を有する。電極部７２０は、後述のように、絶縁層を有していてもよい。電極部７２０は、電源部７４と電気的に接続されている。電源部７４は、電圧を印加することで、電極部７２０を帯電させる。
【００５２】
絶縁部７２２は、例えば、絶縁体からなる。絶縁部７２２は、例えば、樹脂製の化粧シートである。絶縁部７２２は、集塵板７２の表面側に設けられる。絶縁部７２２は、電極部７２０よりも表面側に設けられる。吸着面７２ａは、例えば、絶縁部７２２に設けられる。換言すれば、吸着面７２ａは、例えば、絶縁部７２２で構成される。この例では、電源部７４は、電極部７２０を介して絶縁部７２２の表面（すなわち、吸着面７２ａ）を帯電させる。
【００５３】
このように、集塵板７２の吸着面７２ａを絶縁部７２２で構成することで、電源部７４からの電力の供給が止まった後も、しばらくの間、吸着面７２ａの帯電状態を維持し、吸着した紙塵ＰＤを吸着面７２ａに保持することができる。これにより、例えば、電源部７４からの電力の供給が止まった場合にも、吸着面７２ａに吸着した紙塵ＰＤが飛散することを抑制できる。
【００５４】
なお、絶縁部７２２は、必要に応じて設けられ、省略可能である。例えば、絶縁部７２２が設けられない場合には、吸着面７２ａは、電極部７２０の表面に設けられる。電源部７４は、電極部７２０の表面（すなわち、吸着面７２ａ）を帯電させる。
【００５５】
電極部７２０は、図６（ａ）に表したように、１つの導電層からなるものであってもよいし、図６（ｂ）に表したように、複数の導電層を有するものであってもよい。図６（ｂ）に表した例では、電極部７２０は、第１導電層７２０ａと、第２導電層７２０ｂと、絶縁層７２０ｃと、を有する。換言すれば、集塵板７２は、例えば、第１導電層７２０ａと、第２導電層７２０ｂと、絶縁層７２０ｃと、を有するコンデンサ構造である。第１導電層７２０ａは、電極部７２０の表面側（吸着面７２ａ側）に設けられる。第２導電層７２０ｂは、電極部７２０の裏面側（吸着面７２ａとは反対側）に設けられる。絶縁層７２０ｃは、電極部７２０の表面から裏面に向かう方向において、第１導電層７２０ａと第２導電層７２０ｂとの間に設けられる。
【００５６】
電源部７４は、第１導電層７２０ａ及び第２導電層７２０ｂと電気的に接続されている。電源部７４は、第１導電層７２０ａ及び第２導電層７２０ｂを帯電させる。より具体的には、電源部７４の一方の極（例えば、負極）は、第１導電層７２０ａと電気的に接続され、第１導電層７２０ａを一方の極性（例えば、負）に帯電させる。電源部７４の他方の極（例えば、正極）は、第２導電層７２０ｂと電気的に接続され、第２導電層７２０ｂを他方の極性（例えば、正）に帯電させる。吸着面７２ａは、第１導電層７２０ａと同じ極性に帯電する。
【００５７】
このように、集塵板７２を、第１導電層７２０ａ、第２導電層７２０ｂ、及び絶縁層７２０ｃを有するコンデンサ構造にすることで、集塵板７２に帯電する電荷量を増加させることができる。これにより、紙塵ＰＤをより効率よく集塵板７２に吸着させることができ、紙塵ＰＤの飛散をさらに抑制することができる。
【００５８】
図７（ａ）及び図７（ｂ）は、第１実施形態に係る帯電装置を模式的に表す分解斜視図及び断面図である。
図７（ａ）及び図７（ｂ）に表したように、帯電装置８０は、帯電部８２と、保持部８４と、を有する。帯電部８２は、集塵装置７０にトイレットペーパーＴＰの紙塵ＰＤを収集させるために、紙塵ＰＤを帯電させる。保持部８４は、帯電部８２を保持する。
【００５９】
帯電部８２は、例えば、トイレットペーパーＴＰを回転させて取り出す際にトイレットペーパーＴＰを帯電させる。より具体的には、帯電部８２がトイレットペーパーＴＰに接した状態で、トイレットペーパーＴＰを回転させることで、帯電部８２は、トイレットペーパーＴＰを摩擦帯電させる。
【００６０】
このように、トイレットペーパーＴＰを回転させて取り出す際に帯電部８２によりトイレットペーパーＴＰを帯電させることで、トイレットペーパーＴＰから発生する紙塵ＰＤをより効率よく帯電させることができる。
【００６１】
帯電部８２は、トイレットペーパーＴＰを正または負に帯電させる。例えば、帯電部８２の材質の選択により、トイレットペーパーＴＰを正または負に帯電させることができる。例えば、ポリテトラフルオロエチレン、エボナイト、シリコーン、塩化ビニル、ポリエチレン、アクリル繊維、合成ゴムなどからなる帯電部８２を設けることで、トイレットペーパーＴＰを正に帯電させることができる。一方、例えば、ガラス、ナイロン、羊毛、木綿などからなる帯電部８２を設けることで、トイレットペーパーＴＰを負に帯電させることができる。帯電部８２の機械的強度などの観点から、帯電部８２は、例えば、ポリテトラフルオロエチレンからなるものであることが好ましい。
【００６２】
この例では、保持部８４は、トイレットペーパーＴＰを設置する紙巻器３０である。紙巻器３０は、例えば、トイレットペーパーＴＰを保持する本体部３２と、トイレットペーパーＴＰを切る紙切部３４と、を有する。紙切部３４は、例えば、板状の部材（紙切板）である。紙切部３４の後部には、軸支部３４ａが設けられる。紙切部３４は、軸支部３４ａによって本体部３２に回動可能に軸支される。帯電部８２は、例えば、紙切部３４とトイレットペーパーＴＰとの間に設けられる。換言すれば、帯電部８２は、例えば、紙切部３４のトイレットペーパーＴＰと接する側の面（この例では、下面）に取り付けられる。つまり、この例では、保持部８４は、紙切部３４である。
【００６３】
このように、紙巻器３０を保持部８４とすることで、より容易にトイレットペーパーＴＰを回転させて取り出す際に帯電部８２によりトイレットペーパーＴＰを帯電させることができる。
【００６４】
帯電部８２は、例えば、紙切部３４の下面の前部に取り付けられる。紙切部３４の下面の前部に帯電部８２を取り付けることで、帯電部８２からトイレットペーパーＴＰに掛かる荷重が大きくなり、帯電部８２とトイレットペーパーＴＰとの間の摩擦力を大きくすることができる。
【００６５】
保持部８４は、帯電部８２をトイレットペーパーＴＰに押し付ける押付部８６を有する。この例では、押付部８６は、トーションばねである。この例では、押付部８６は、紙切部３４の上方、かつ、軸支部３４ａよりも前方に設けられ、紙切部３４の前端部を下方に付勢する。押付部８６は、紙切部３４の前端部を下方に付勢することで、紙切部３４の下面の前部に取り付けられた帯電部８２をトイレットペーパーＴＰに押し付ける。
【００６６】
このように、保持部８４に押付部８６を設けることで、帯電部８２をトイレットペーパーＴＰに押し付け、帯電部８２とトイレットペーパーＴＰとの間の摩擦力を大きくすることができる。これにより、トイレットペーパーＴＰ（紙塵ＰＤ）に帯電する電荷量を増加させ、紙塵ＰＤをより効率よく集塵装置７０に吸着させることができる。
【００６７】
図８（ａ）及び図８（ｂ）は、第１実施形態に係る帯電装置の変形例を模式的に表す分解斜視図及び断面図である。  
図８（ａ）及び図８（ｂ）に表したように、この例では、押付部８６は、トーションばねである。この例では、押付部８６は、紙切部３４の下方、かつ、軸支部３４ａよりも後方に設けられ、紙切部３４の後端部（軸支部３４ａよりも後方の部分）を上方に付勢する。押付部８６は、紙切部３４の後端部を上方に付勢するすることで、紙切部３４の前端部を下方に付勢し、紙切部３４の下面の前部に取り付けられた帯電部８２をトイレットペーパーＴＰに押し付ける。
【００６８】
図９（ａ）及び図９（ｂ）は、第１実施形態に係る帯電装置の変形例を模式的に表す断面図である。  
図９（ａ）及び図９（ｂ）に表したように、これらの例では、押付部８６は、コイルばねである。図９（ａ）に表した例では、図７（ａ）及び図７（ｂ）に表した例と同様に、押付部８６は、紙切部３４の上方、かつ、軸支部３４ａよりも前方に設けられ、紙切部３４の前端部を下方に付勢することで、紙切部３４の下面の前部に取り付けられた帯電部８２をトイレットペーパーＴＰに押し付ける。一方、図９（ｂ）に表した例では、図８（ａ）及び図８（ｂ）に表した例と同様に、押付部８６は、紙切部３４の下方、かつ、軸支部３４ａよりも後方に設けられ、紙切部３４の後端部（軸支部３４ａよりも後方の部分）を上方に付勢することで、紙切部３４の前端部を下方に付勢し、紙切部３４の下面の前部に取り付けられた帯電部８２をトイレットペーパーＴＰに押し付ける。
【００６９】
（第２実施形態）
図１０は、第２実施形態に係るトイレシステムを模式的に表す斜視図である。  
図１０に表したように、トイレシステム１００Ａは、集塵システム６０を集塵システム６０Ａに変えた以外は、図１に表したトイレシステム１００と実質的に同じである。集塵システム６０Ａは、集塵装置７０Ａと、帯電装置８０Ａと、を有する。
【００７０】
この例では、集塵装置７０Ａの集塵板７２は、カウンター２０の上方に設けられている。集塵板７２は、これに限定されず、例えば、紙巻器３０やカウンター２０の下方に設けられてもよい。
【００７１】
この例では、帯電装置８０Ａは、カウンター２０と紙巻器３０との間に設けられている。換言すれば、帯電装置８０Ａは、カウンター２０の下方、かつ、紙巻器３０の上方に設けられている。帯電装置８０Ａの帯電部８２は、イオナイザーである。帯電部８２は、例えば、コロナ放電式のイオナイザーである。帯電装置８０Ａの保持部８４は、例えば、紙巻器３０の上面である。換言すれば、帯電部８２は、紙巻器３０の上に載置されることで、カウンター２０と紙巻器３０との間に保持される。なお、保持部８４は、例えば、カウンター２０の下面に帯電部８２を固定するネジなどの固定部材であってもよい。
【００７２】
帯電装置８０Ａは、紙巻器３０に設置されるトイレットペーパーＴＰ、及び、トイレットペーパーＴＰから発生する紙塵ＰＤの少なくともいずれかに対して、帯電部８２であるイオナイザーからイオンを放射し、トイレットペーパーＴＰ及び紙塵ＰＤの少なくともいずれかを帯電させる。
【００７３】
このように、帯電部８２としてイオナイザーを用いて紙塵ＰＤを帯電させることができる。これにより、トイレ空間ＴＳにおいて、トイレットペーパーＴＰから発生した紙塵ＰＤを効率よく集塵装置７０に吸着させることができ、紙塵ＰＤの飛散を抑制することができる。
【００７４】
この例では、電源部７４は、カウンター２０の下方に設けられている。電源部７４の位置は、これに限定されず、例えば、集塵板７２の上方、下方、左右の側方、または後方であってもよい。
【００７５】
図１１（ａ）及び図１１（ｂ）は、第２実施形態に係る集塵装置を模式的に表す斜視図である。  
図１１（ａ）及び図１１（ｂ）に表したように、集塵装置７０Ａは、集塵板７２と、電源部７４と、取付部７６と、を有する。集塵板７２は、紙塵ＰＤを吸着する吸着面７２ａを有する。
【００７６】
集塵板７２は、吸着面７２ａよりも外側から吸着面７２ａが向く方向（この例では、前方）に立ち上がる立面７２ｂを有する。立面７２ｂは、例えば、集塵板７２の端部から吸着面７２ａが向く方向に延びる面である。立面７２ｂの高さ（吸着面７２ａが向く方向の長さ）は、例えば、５ｍｍ以上３０ｍｍ以下である。
【００７７】
このように、集塵板７２に立面７２ｂを設けることで、吸着面７２ａを水洗いする際に、吸着面７２ａの外側に水が溢れることを抑制できる。これにより、例えば、小さな手洗器４０でも（ボウル部４４が小さい場合でも）容易に吸着面７２ａを水洗いすることができる。
【００７８】
また、集塵板７２は、排水部７２ｃをさらに有する。排水部７２ｃは、吸着面７２ａを洗い流すための水を排出する部分である。排水部７２ｃは、例えば、集塵板７２の端部に位置し、立面７２ｂが設けられていない部分である。この例では、排水部７２ｃは、集塵板７２の下端部に設けられている。また、この例では、集塵板７２は、排水部７２ｃに向かって幅（立面７２ｂどうしの距離）が狭まるように設けられた一対の立面７２ｂを有する。換言すれば、集塵板７２は、正面視において、ロートのような形状を有する。
【００７９】
このように、集塵板７２に、排水部７２ｃと、排水部７２ｃに向かって幅が狭まるように設けられた一対の立面７２ｂと、を設けることで、吸着面７２ａを洗い流した水を立面７２ｂに沿って排水部７２ｃに導くことができる。これにより、吸着面７２ａを洗い流した水が排出される範囲を狭くできるため、小さな手洗器４０でも（ボウル部４４が小さい場合でも）容易に吸着面７２ａを水洗いすることができる。
【００８０】
また、集塵板７２は、吸着面７２ａに曲面状の凹部７８を有する。凹部７８は、集塵板７２の表面側（吸着面７２ａ側）から、裏面側（吸着面７２ａとは反対側）に向かって窪む。凹部７８は、例えば、球面状の窪みである。凹部７８の曲率半径は、例えば、２００ｍｍ以上５００ｍｍ以下である。
【００８１】
このように、集塵板７２の吸着面７２ａに曲面状の凹部７８を設けることで、吸着面７２ａを水洗いする際に、凹部７８に水を当てて、吸着面７２ａの全体に水を拡散させることができる。これにより、より効率よく吸着面７２ａを水洗いすることができる。
【００８２】
また、電源部７４は、例えば、集塵板７２に対して着脱自在に接続される。より具体的には、例えば、電源部７４及び取付部７６は、トイレ空間ＴＳの所定の位置（例えば、壁面ＷＬ）に取り付けられる。電源部７４は、取付部７６の端子７６ｃと電気的に接続される。集塵板７２を取付部７６に取り付けると、例えば、集塵板７２が端子７６ｃに接することで、端子７６ｃを介して、電源部７４と集塵板７２とは電気的に接続された状態になる。一方、集塵板７２を取付部７６から取り外すと、集塵板７２が端子７６ｃから離れることで、電源部７４と集塵板７２とは電気的に接続されていない状態になる。換言すれば、集塵板７２を取付部７６から取り外した際に、電源部７４は、取付部７６とともにトイレ空間ＴＳの所定の位置に保持される。
【００８３】
このように、電源部７４を集塵板７２に対して着脱自在に接続することで、吸着面７２ａを水洗いする際に、電源部７４が濡れることを抑制できる。これにより、集塵板７２をより容易に水洗いすることができる。
【００８４】
また、図１１（ａ）及び図１１（ｂ）に表したように、これらの例では、取付部７６は、集塵板７２の左右の側端部や集塵板７２の下端部を支持するように設けられている。図１１（ａ）に表した例では、取付部７６は、集塵板７２の左右の側端部を支持するように設けられている。また、この例では、集塵板７２が下に落ちないように、集塵板７２の左右の側端部が取付部７６に嵌合されている。図１１（ｂ）に表した例では、取付部７６は、集塵板７２の左右の側端部に加えて、集塵板７２の下端部を支持するように設けられている。
【００８５】
図１２は、第２実施形態に係る集塵装置を模式的に表す断面図である。  
図１２に表したように、集塵板７２は、図６（ｂ）に表したような第１導電層７２０ａ、第２導電層７２０ｂ、及び絶縁層７２０ｃを有するコンデンサ構造である。
【００８６】
また、集塵板７２は、左右方向に延びる第１部分７３１と、第１部分７３１の右側端部から前方に延びる第２部分７３２と、第１部分７３１の左側端部から前方に延びる第３部分７３３と、第２部分７３２の前端部から左側方に延びる第４部分７３４と、第３部分７３３の前端部から左側方に延びる第５部分７３５と、を有する。第２部分７３２及び第３部分７３３は、立面７２ｂを構成する。第１部分７３１、第２部分７３２、及び第４部分７３４は、折り返し構造になっている。一方、第１部分７３１、第３部分７３３、及び第５部分７３５は、折り返し構造になっていない。換言すれば、第２部分７３２から第４部分７３４への折れ曲がりの方向は、第３部分７３３から第５部分７３５への折れ曲がりの方向と同じである。
【００８７】
第４部分７３４は、取付部７６の端子７６ｃの一方と電気的に接続される。第５部分７３５は、取付部７６の端子７６ｃの他方と電気的に接続される。例えば、第４部分７３４において、集塵板７２は、第２導電層７２０ｂ側の面（吸着面７２ａとは反対側の面）で正極の端子７６ｃと電気的に接続される。これにより、第２導電層７２０ｂが正に帯電する。一方、第５部分７３５において、集塵板７２は、第１導電層７２０ａ側の面（吸着面７２ａ）で負極の端子７６ｃと電気的に接続される。これにより、第１導電層７２０ａが負に帯電する。
【００８８】
集塵板７２をこのような構造とすることで、集塵板７２の端部に立面７２ｂを設けるとともに、コンデンサ構造を有する集塵板７２の第１導電層７２０ａ及び第２導電層７２０ｂをそれぞれ反対の極性に帯電させることができる。
【００８９】
（第３実施形態）
図１３は、第３実施形態に係る集塵装置を模式的に表す断面図である。  
図１３に表したように、この例では、集塵装置７０の集塵板７２は、カウンター２０の下面に設けられている。集塵板７２は、カウンター２０と紙巻器３０との間に設けられている。換言すれば、集塵板７２は、カウンター２０の下方、かつ、紙巻器３０の上方に設けられている。この例では、集塵板７２の吸着面７２ａは、下方を向いている。
【００９０】
また、この例では、第１実施形態と同様に、紙切部３４のトイレットペーパーＴＰと接する側の面（下面）に、帯電装置８０の帯電部８２が取り付けられている。帯電部８２は、トイレットペーパーＴＰを回転させて取り出す際にトイレットペーパーＴＰを帯電させる。帯電したトイレットペーパーＴＰから発生した紙塵ＰＤは、カウンター２０の下面に設けられた集塵板７２の吸着面７２ａに吸着される。
【００９１】
図１３には表していないが、集塵装置７０の電源部７４は、例えば、図１０に表したように、カウンター２０の下方に設けられる。また、集塵装置７０の取付部７６は、例えば、カウンター２０の下方に設けられ、集塵板７２をカウンター２０の下面に保持する。集塵板７２は、例えば、前方に引き出すことで、取付部７６から取り外すことができる。
【００９２】
このように、集塵板７２、電源部７４、及び取付部７６をカウンター２０の下方に設けることで、トイレットペーパーを切り取ったときに発生する紙塵の飛散をより抑制することができるとともに、集塵板７２、電源部７４、及び取付部７６をカウンター２０で隠すことができる。そのため、集塵装置７０を設けることでトイレ空間ＴＳの意匠性が低下することを抑制できる。
【００９３】
（第４実施形態）
図１４は、第４実施形態に係る集塵装置を模式的に表す分解斜視図である。  
図１４に表したように、この例では、集塵装置７０の集塵板７２は、紙巻器３０に設けられている。より具体的には、集塵装置７０の取付部７６は、紙巻器３０の本体部３２に取り付けられており、集塵板７２は、取付部７６を介して本体部３２に取り付けられている。また、この例では、紙切部３４の代わりに集塵板７２が設けられており、集塵板７２は、トイレットペーパーＴＰを切る機能を有する。例えば、集塵板７２の前端部には、トイレットペーパーＴＰを切るための刃が設けられる。
【００９４】
この例では、集塵板７２の吸着面７２ａは、上方を向いている。集塵板７２の前端部及び左右の側端部には、立面７２ｂが設けられている。また、集塵板７２の後端部には、排水部７２ｃが設けられている。集塵板７２は、例えば、前方に引き出すことで、取付部７６から取り外すことができる。集塵装置７０の電源部７４は、カウンター２０の下方に設けられている。
【００９５】
また、この例では、集塵板７２のトイレットペーパーＴＰと接する側の面（裏面）に、第１実施形態と同様の帯電装置８０の帯電部８２が取り付けられている。換言すれば、この例では、帯電装置８０の保持部８４は、集塵板７２である。帯電部８２は、トイレットペーパーＴＰを回転させて取り出す際にトイレットペーパーＴＰを帯電させる。帯電したトイレットペーパーＴＰから発生した紙塵ＰＤは、紙巻器３０に設けられた集塵板７２の吸着面７２ａに吸着される。
【００９６】
このように、集塵板７２を紙巻器３０に設けることで、トイレットペーパーＴＰを切り取ったときに発生する紙塵ＰＤの飛散をより抑制することができるとともに、集塵板７２を目立たなくすることができる。そのため、集塵装置７０を設けることでトイレ空間ＴＳの意匠性が低下することを抑制できる。
【００９７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレシステムや集塵システムなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９８】
１０ トイレ装置、  ２０ カウンター、  ３０ 紙巻器、  ３２ 本体部、  ３４ 紙切部、  ４０ 手洗器、  ４２ 吐水部、  ４４ ボウル部、  ５０ キャビネット、  ６０、６０Ａ 集塵システム、  ７０、７０Ａ 集塵装置、  ７２ 集塵板、  ７２ａ 吸着面、  ７２ｂ 立面、  ７２ｃ 排水部、  ７４ 電源部、  ７６ 取付部、  ７６ａ 壁掛けフック、  ７６ｂ 壁固定材、  ７６ｃ 端子、  ７８ 凹部、  ８０、８０Ａ 帯電装置、  ８２ 帯電部、  ８４ 保持部、  ８６ 押付部、  １００、１００Ａ トイレシステム、  ７２０ 電極部、  ７２０ａ 第１導電層、  ７２０ｂ 第２導電層、  ７２０ｃ 絶縁層、  ７２２ 絶縁部、  ７３１〜７３５ 第１〜第５部分、  ＢＴ 電池、  ＰＤ 紙塵、  ＴＰ トイレットペーパー、  ＴＳ トイレ空間、  ＷＬ 壁面
【図１】
2020041321.tif 000003
【図２】
2020041321.tif 000004
【図３】
2020041321.tif 000005
【図４】
2020041321.tif 000006
【図５】
2020041321.tif 000007
【図６】
2020041321.tif 000008
【図７】
2020041321.tif 000009
【図８】
2020041321.tif 000010
【図９】
2020041321.tif 000011
【図１０】
2020041321.tif 000012
【図１１】
2020041321.tif 000013
【図１２】
2020041321.tif 000014
【図１３】
2020041321.tif 000015
【図１４】
2020041321.tif 000016